(57)【要約】【課題】基材の表面の一部に樹脂成形品を射出成形する際に基材に対する穴明けと樹脂の射出とを１台の装置で効率良く行うことができる射出成形装置を提供する。【解決手段】基材２の表面の一部に樹脂成形品３を射出成形する射出成形装置１であって、基材の表面に軸端面が載置されて内部に射出領域Ｓを形成する筒型５と、筒型の内部を軸方向に移動する穴明け部材６と、筒型の内部に着脱可能に取り付けられ、筒型及び基材との間で射出領域を形成する射出部材７と、射出部材に対して溶融樹脂を射出する射出手段８と、を備え、穴明け部材が筒型の内部を軸方向に移動することで基材に穴が穿設されるとともに、筒型に対して穴明け部材が取り外され且つ射出部材が取り付けられた状態で、射出手段から射出される溶融樹脂が射出部材を介して射出領域に注入される。【選択図】図１
2014058127.tif 000002
【特許請求の範囲】
【請求項１】
基材の表面の一部に樹脂成形品を射出成形する射出成形装置であって、
前記基材の表面に軸端面が載置されて内部に射出領域を形成する筒型と、
前記筒型の内部を軸方向に移動する穴明け部材と、
前記筒型の内部に着脱可能に取り付けられ、前記筒型及び前記基材との間で前記射出領域を形成する射出部材と、
前記射出部材に対して溶融樹脂を射出する射出手段と、を備え、
前記穴明け部材が前記筒型の内部を軸方向に移動することで前記基材に穴が穿設されるとともに、前記筒型に対して前記穴明け部材が取り外され且つ前記射出部材が取り付けられた状態で、前記射出手段から射出される溶融樹脂が前記射出部材を介して前記射出領域に注入されることを特徴とする射出成形装置。
【請求項２】
前記射出手段は、前記筒型の内部を加熱するヒータと、前記筒型の内面に摺接して該筒型の内部を軸方向に移動するピストンと、を備える請求項１記載の射出成形装置。
【請求項３】
請求項１又は２に記載の射出成形装置を用いる射出成形方法であって、
前記筒型の軸端面を前記基材の表面に載置する工程と、
前記穴明け部材を前記筒型の内部を軸方向に移動させることで前記基材に穴を穿設する工程と、
前記筒型に対して前記穴明け部材が取り外され且つ前記射出部材が取り付けられた状態で、前記射出手段から射出される溶融樹脂を前記射出部材を介して前記射出領域に注入する工程と、を備えることを特徴とする射出成形方法。
【発明の詳細な説明】
【技術分野】
【０００１】
本発明は、射出成形装置及びこれを用いる射出成形方法に関し、さらに詳しくは、基材の表面の一部に樹脂成形品を射出成形する際に、基材に対する穴明けと樹脂の射出とを１台の装置で効率良く行うことができる射出成形装置及びこれを用いた射出成形方法に関する。
【背景技術】
【０００２】
従来より、特許文献１及び２にあるように、例えば自動車の天井内装品の裏面にクリップ座を射出成形する際に、天井基材に穴明け加工しておき、射出された樹脂を穴に流入させてアンカー効果を得る技術が知られている。しかし、これら特許文献１及び２には、部分的に射出する技術は開示されているが、穴明けに関する詳細な技術については開示されていない。また、特許文献３にあるように、同じく自動車の天井内装品において天井基材に穴明けする装置が知られている。しかし、この特許文献３には、穴明けする装置で樹脂の射出を行えるものではない。
【０００３】
なお、特許文献４には、自動車のドアトリムを成形する際に、穴明け機能と樹脂の射出機能とを兼ね備えた装置が開示されている。しかし、特許文献４の装置は、ドアトリム本体自身を成形するような大型の装置であり、上記特許文献１〜３にあるようなクリップ座を基材に成形するような場合に適用できず、仮に適用した場合であっても穴明けと樹脂の射出とを１台の装置で効率良く行えるものではない。
【先行技術文献】
【特許文献】
【０００４】
【特許文献１】特開平２−４８２４４号公報
【特許文献２】特開平２−２６５７１８号公報
【特許文献３】特開平１１−１７０９２４号公報
【特許文献４】特開平１０−３３７７４１号公報
【発明の概要】
【発明が解決しようとする課題】
【０００５】
本発明は、上記現状に鑑みてなされたものであり、基材の表面の一部に樹脂成形品を射出成形する際に、基材に対する穴明けと樹脂の射出とを１台の装置で効率良く行うことができる射出成形装置及びこれを用いた射出成形方法を提供することを目的とする。
【課題を解決するための手段】
【０００６】
上記問題を解決するために、請求項１に記載の発明は、基材の表面の一部に樹脂成形品を射出成形する射出成形装置であって、前記基材の表面に軸端面が載置されて内部に射出領域を形成する筒型と、前記筒型の内部を軸方向に移動する穴明け部材と、前記筒型の内部に着脱可能に取り付けられ、前記筒型及び前記基材との間で前記射出領域を形成する射出部材と、前記射出部材に対して溶融樹脂を射出する射出手段と、を備え、前記穴明け部材が前記筒型の内部を軸方向に移動することで前記基材に穴が穿設されるとともに、前記筒型に対して前記穴明け部材が取り外され且つ前記射出部材が取り付けられた状態で、前記射出手段から射出される溶融樹脂が前記射出部材を介して前記射出領域に注入されることを要旨とする射出成形装置。
請求項２に記載の発明は、請求項１記載において、前記射出手段は、前記筒型の内部を加熱するヒータと、前記筒型の内面に摺接して該筒型の内部を軸方向に移動するピストンと、を備えることを要旨とする。
請求項３に記載の発明は、請求項１又は２に記載の射出成形装置を用いる射出成形方法であって、前記筒型の軸端面を前記基材の表面に載置する工程と、前記穴明け部材を前記筒型の内部を軸方向に移動させることで前記基材に穴を穿設する工程と、前記筒型に対して前記穴明け部材が取り外され且つ前記射出部材が取り付けられた状態で、前記射出手段から射出される溶融樹脂を前記射出部材を介して前記射出領域に注入する工程と、を備えることを要旨とする。
【発明の効果】
【０００７】
本発明の射出成形装置によると、基材の表面に軸端面が載置されて内部に射出領域を形成する筒型と、筒型の内部を軸方向に移動する穴明け部材と、筒型の内部に着脱可能に取り付けられ、筒型及び基材との間で射出領域を形成する射出部材と、射出部材に対して溶融樹脂を射出する射出手段と、を備え、穴明け部材が筒型の内部を軸方向に移動することで基材に穴が穿設されるとともに、筒型に対して穴明け部材が取り外され且つ射出部材が取り付けられた状態で、射出手段から射出される溶融樹脂が射出部材を介して射出領域に注入されるので、射出領域に注入された溶融樹脂の一部が基材に形成された穴に流入して、基材に対して強固に接合された樹脂成形品が得られる。これにより、基材の表面の一部に樹脂成形品を射出成形する際に、基材に対する穴明けと樹脂の射出とを１台の装置で効率良く行うことができる。また、樹脂成形品の表面側に穴明け部材による穴跡が形成されず、樹脂成形品の意匠性を高めることができる。さらに、装置のコンパクト化を図ることができる。
さらに、前記射出手段が、前記筒型の内部を加熱するヒータと、前記筒型の内面に摺接して該筒型の内部を軸方向に移動するピストンと、を備える場合は、筒型を利用して射出手段が構成される。よって、装置の更なるコンパクト化を図ることができる。
本発明の射出成形方法によると、筒型の軸端面を基材の表面に載置する工程と、穴明け部材を筒型の内部を軸方向に移動させることで基材に穴を穿設する工程と、筒型に対して穴明け部材が取り外され且つ射出部材が取り付けられた状態で、射出手段から射出される溶融樹脂を射出部材を介して射出領域に注入する工程と、を備えるので、射出領域に注入された溶融樹脂の一部が基材に形成された穴に流入して、基材に対して強固に接合された樹脂成形品が得られる。これにより、基材の表面の一部に樹脂成形品を射出成形する際に、基材に対する穴明けと樹脂の射出とを１台の装置で効率良く行うことができる。さらに、樹脂成形品の表面側に穴明け部材による穴跡が形成されず、樹脂成形品の意匠性を高めることができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る射出成形装置の分解斜視図である。
【図２】上記射出成形装置の作用説明図であり、（ａ）は基材に筒型をセットした状態を示し、（ｂ）は穴明け部材で穴を穿設した状態を示し、（ｃ）は筒型内に射出部材を取り付けた状態を示す。
【図３】上記射出成形装置の作用説明図であり、（ａ）は筒型内に樹脂ペレットを投入した状態を示し、（ｂ）は溶融樹脂を射出領域に注入した状態を示し、（ｃ）は基材から筒型を取り外した状態を示す。
【図４】その他の形態の射出成形装置を説明するための説明図である。
【図５】更にその他の形態の射出成形装置を説明するための説明図である。
【図６】更にその他の形態の射出成形装置を説明するための説明図である。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
１．射出成形装置
本実施形態１．に係る射出成形装置は、基材（２）の表面の一部に樹脂成形品（３）を射出成形する射出成形装置（１）であって、基材の表面に軸端面が載置されて内部に射出領域（Ｓ）を形成する筒型（５）と、筒型の内部を軸方向に移動する穴明け部材（６）と、筒型の内部に着脱可能に取り付けられ、筒型及び基材との間で射出領域を形成する射出部材（７）と、射出部材に対して溶融樹脂を射出する射出手段（８）と、を備え、穴明け部材が筒型の内部を軸方向に移動することで基材に穴が穿設されるとともに、筒型に対して穴明け部材が取り外され且つ射出部材が取り付けられた状態で、射出手段から射出される溶融樹脂が射出部材を介して射出領域に注入されることを特徴とする（例えば、図１〜図３等参照）。
【００１１】
なお、上記「射出領域」とは、溶融樹脂が注入されて樹脂成形品が射出成形される空間を意図する。
【００１２】
本実施形態１．に係る射出成形装置としては、例えば、上記射出手段（８）は、筒型（５）の内部を加熱するヒータ（２２）と、筒型の内面に摺接して筒型の内部を軸方向に移動するピストン（２３）と、を備える形態（例えば、図１等参照）を挙げることができる。
【００１３】
２．射出成形方法
本実施形態２．に係る射出成形方法は、上記実施形態１．に係る射出成形装置を用いる射出成形方法であって、筒型の軸端面を基材の表面に載置する工程と、穴明け部材を筒型の内部を軸方向に移動させることで基材に穴を穿設する工程と、筒型に対して穴明け部材が取り外され且つ射出部材が取り付けられた状態で、射出手段から射出される溶融樹脂を射出部材を介して射出領域に注入する工程と、を備えることを特徴とする。
【実施例】
【００１４】
以下、図面を用いて実施例により本発明を具体的に説明する。
【００１５】
（１）射出成形装置の構成
本実施例に係る射出成形装置１は、図１に示すように、基材２の表面の一部に樹脂成形品３（例えば、クリップ、ブラケット等；図３（ｃ）参照）を射出成形するものである。この射出成形装置１は、以下に述べる筒型３、穴明け部材６、射出部材７及び射出手段８を備えている。なお、上記基材２は、繊維層２ａと、この繊維層２ａの表面に積層される非通気性を有する通気止め用シート層２ｂと、を備えており、車両用の天井基材として用いられる。
【００１６】
上記筒型５は、円筒状に形成され、載置台１０上に載置された基材２の表面に軸端面が載置されて内部に射出領域Ｓ（図２（ｃ）参照）を形成する。この筒型５は、載置台１０上に立設された支持柱１１に対してブラケット１２を介して昇降自在に支持されている。また、筒型５には、上端側から軸方向に沿って延びる複数（図中２つ）の挿入溝１３が形成されている。
【００１７】
上記穴明け部材６は、円柱状に形成され、筒型５の内周面に摺接して軸方向に移動する。この穴明け部材６の一方の軸端面には、基材２に突き刺さる多数の穴明け針１５が軸方向に突設されている。さらに、穴明け部材６の他方の軸端面には、操作ロッド１６が立ち上げられている。
【００１８】
上記射出部材７は、円柱状の本体１８と、この本体１８の外周側から遠心方向に延びる複数（図中２つ）の棒状の突部１９と、を備えている。この本体１８は、筒型５の内周面に接触する外周面を有している。また、突部１９を筒型５の挿入溝１３内に挿入することで、射出部材７は筒型５の内部に着脱可能に取り付けられる。そして、本体１８は、筒型５の内部を軸方向に沿って射出領域Ｓと樹脂の投入領域Ｔとに仕切る（図２（ｃ）参照）。この射出領域Ｓは、筒型５、基材２及び射出部材７の間に形成されている。また、樹脂の投入領域Ｔには、樹脂ペレットが投入される。さらに、本体１８の中心側には、射出領域Ｓ及び投入領域Ｔに連なる射出通路２０が軸方向に貫通して形成されている。
【００１９】
上記射出手段８は、筒型５内に取り付けられた射出部材７に対して溶融樹脂を射出するものである。この射出手段８は、筒型５の内部を加熱するバンド状のヒータ２２と、筒型５の内周面に摺接して筒型５の内部を軸方向に移動するピストン２３と、を備えている。このヒータ２２は、筒型５の内部に投入された樹脂ペレット（例えば、ポリプロピレン等の熱可塑性樹脂など）を溶融するように筒型５の外周側に巻き付けられている。なお、上記ヒータ２２は、樹脂ペレットがポリプロピレンである場合、２００〜２２０℃を目安に加熱する。
【００２０】
上記支持柱１１の上端側には、ブラケット２５を介して支持構造２６が取り付けられている。この支持構造２６内には、ピストン２３に連なる連結ロッド２７が挿入されている。また、支持構造２６内には、操作レバー２８を回動操作することで連結ロッド２７を昇降させる周知のギヤ構造（図示省略）等が内蔵されている。
【００２１】
（２）射出成形装置の作用
次に、上記構成の射出成形装置１の作用について説明する。図２（ａ）に示すように、基材２の表面に筒型５の軸端面を載置する。次に、図２（ｂ）に示すように、操作ロッド１６の把持操作により筒型５内に穴明け部材６を挿入して基材２の表面を押圧すると、基材２の表面側に穴明け針１５で多数の穴ｈが穿設される。次いで、図２（ｃ）に示すように、筒型５内から穴明け部材６を取り出した後、突部１９を挿入溝１３内に挿入することで筒型５内に射出部材７を取り付ける。このとき、射出部材７、筒型５及び基材２の間に射出領域Ｓが形成される。
【００２２】
その後、図３（ａ）に示すように、筒型５の内部に樹脂ペレットが投入されヒータ２２で加熱されて溶融される。次に、図３（ｂ）に示すように、操作レバー２８の操作によるピストン２３の押圧で筒型５内の溶融樹脂が射出部材７の射出通路２０を介して射出領域Ｓに注入される。次いで、図３（ｃ）に示すように、基材２に対して筒型５を取り外すことで、表面の一部に樹脂成形品３が射出成形された基材２が得られる。
【００２３】
（３）実施例の効果
以上より、本実施例の射出成形装置１によると、基材２の表面に軸端面が載置されて内部に射出領域Ｓを形成する筒型５と、筒型５の内部を軸方向に移動する穴明け部材６と、筒型５の内部に着脱可能に取り付けられ、筒型５及び基材２との間で射出領域Ｓを形成する射出部材７と、射出部材７に対して溶融樹脂を射出する射出手段８と、を備え、穴明け部材６が筒型５の内部を軸方向に移動することで基材２に穴ｈが穿設されるとともに、筒型５に対して穴明け部材６が取り外され且つ射出部材７が取り付けられた状態で、射出手段８から射出される溶融樹脂が射出部材７を介して射出領域Ｓに注入されるので、射出領域Ｓに注入された溶融樹脂の一部が基材２に形成された穴ｈに流入して、基材２に対して強固に接合された樹脂成形品３が得られる。これにより、基材２の表面の一部に樹脂成形品３を射出成形する際に、基材２に対する穴明けと樹脂の射出とを１台の装置で効率良く行うことができる。また、樹脂成形品３の表面側に穴明け部材６による穴跡が形成されず、樹脂成形品３の意匠性を高めることができる。さらに、装置のコンパクト化を図ることができる。
【００２４】
また、本実施例では、射出手段８は、筒型５の内部を加熱するヒータ２２と、筒型５の内面に摺接して筒型５の内部を軸方向に移動するピストン２３と、を備えるので、筒型５を利用して射出手段８が構成される。よって、装置の更なるコンパクト化を図ることができる。
【００２５】
また、本実施例では、射出部材７は、筒型５の内部を軸方向に沿って射出領域Ｓと樹脂の投入領域Ｔとに仕切るため、筒型５の投入領域Ｔ内に樹脂ペレットを投入してヒータ２２で溶融することができる。よって、射出手段８として材料タンクやホッパーを備える必要がなく、装置の更なるコンパクト化を図ることができる。
【００２６】
また、本実施例では、穴明け部材６に操作ロッド１６を設けているので、操作ロッド１６の操作により穴明け部材６を手動で筒型５内を移動させることができる。これに対して、シリンダ、モータ等の駆動手段により穴明け部材を移動させるものは設備コストが高くなる。
【００２７】
また、本実施例では、操作レバー２８の操作により筒型５内でピストン２３を摺動させて射出手段８から溶融樹脂を射出するようにしたので、手動で溶融樹脂を射出することができる。これに対して、シリンダ、モータ等の駆動手段により溶融樹脂を射出するものは設備コストが高くなる。
【００２８】
さらに、本実施例では、基材２は、繊維層２ａと、繊維層２ａの表面に積層される非通気性を有する通気止め用シート層２ｂと、を備え、穴明け部材６は、基材２の表面から通気止め用シート層２ｂを貫通して繊維層２ａに到る穴ｈを穿設するので、溶融樹脂が穴ｈを介して比較的低密度の繊維層２ａ内に入り込み易くなり、強固なアンカー効果を発揮させて樹脂成形品３の接合強度を更に高めることができる。
【００２９】
尚、本発明においては、上記実施例に限られず、目的、用途に応じて本発明の範囲内で種々変更した実施例とすることができる。すなわち、上記実施例では、操作ロッド１６の操作により移動される穴明け部材６を例示したが、これに限定されず、例えば、図４に示すように、射出手段８を構成するピストン２３に穴明け部材６を取り付け、操作レバー２８の操作により穴明け部材６を移動させるようにしてもよい。
【００３０】
また、上記実施例では、筒型５の内周面に摺接するピストン２３を例示したが、これに限定されず、例えば、図５に示すように、射出部材７に形成され且つ樹脂ペレットが投入される筒部３０の内周面に摺接するピストン２３’としてもよい。
【００３１】
また、上記実施例では、筒型５内を加熱するヒータ２２及び筒型５内を摺動するピストン２３を備える射出手段８を例示したが、これに限定されず、例えば、図６に示すように、一端側に射出口３１ａを有する筒体３１と、筒体３１の内部を加熱するヒータ３２と、筒体３１の内部で軸方向に移動可能に設けられ且つ筒体３１の内部に投入されヒータ３２で加熱された溶融樹脂を射出口３１ａに向かって押圧するピストン３３と、を備える射出シリンダ３４を採用してもよい。この場合、例えば、上記射出シリンダ３４は筒型５に対して近接・離間するように支持されることができる。
【００３２】
また、上記実施例では、円筒状の筒型５を例示したが、これに限定されず、例えば、角筒状の筒型としてもよい。
【００３３】
また、上記実施例では、手動により穴明け部材６を筒型５内で移動させるようにしたが、これに限定されず、例えば、シリンダ、モータ等の駆動手段により穴明け部材６を移動させるようにしてもよい。
【００３４】
また、上記実施例では、手動によりピストン２３を駆動して溶融樹脂を射出するようにしたが、これに限定されず、例えば、シリンダ、モータ等の駆動手段によりピストン２３を駆動して溶融樹脂を射出するようにしてもよい。
【００３５】
また、上記実施例では、基材２に針状の穴ｈを穿設する形態を例示したが、これに限定されず、例えば、基材にスリット状の穴を形成するようにしてもよい。
【００３６】
さらに、上記実施例では、車両天井用の基材を例示したが、これに限定されず、例えば、ドアトリム、フロアカーペット、フロアマット、ダッシュサイレンサ等の車両内装材の基材としてもよい。
【００３７】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３８】
本発明は上記で詳述した実施形態に限定されず、本発明の請求項に示した範囲で様々な変形または変更が可能である。
【産業上の利用可能性】
【００３９】
基材の表面の一部に樹脂成形品を射出成形する技術として広く利用される。
【符号の説明】
【００４０】
１；射出成形装置、２；基材、３；樹脂成形品、５；筒型、６；穴明け部材、７；射出部材、８；射出手段、２２；ヒータ、２３；ピストン、Ｓ；射出領域、ｈ；穴。
【図１】
2014058127.tif 000003
【図２】
2014058127.tif 000004
【図３】
2014058127.tif 000005
【図４】
2014058127.tif 000006
【図５】
2014058127.tif 000007
【図６】
2014058127.tif 000008